(57)【要約】【課題】販売価格の異なる複数個の商品を販売する自動販売機において、釣銭切れ表示を保有している貨幣枚数から判定しており、実際は販売できる商品があっても釣銭切れ表示を行う場合があり、正確な釣銭切れ情報が提供できず、購入者が釣銭切れなので商品購入が不可能であると誤解してしまい、販売機会を逃し売上が減収してしまう課題があった。【解決手段】投入され貨幣と選択された商品から、販売可能判定手段７にて投入貨幣に対する販売可否を判定し、販売不可と判定した場合、最小枚数演算手段８から販売可能となる追加枚数が最小となる金種と枚数を演算し、演算した金種及び枚数と釣銭切れ状態を表示手段９に表示するようにしたことにより、購入者が選択した商品に対して正確な釣銭切れ状態を表示し、さらに釣銭切れの場合、その商品を購入するために必要な追加金種と枚数を表示することができる。【選択図】図１
2005202638.tif 000002
【特許請求の範囲】
【請求項１】
収納商品の販売価格を記憶する販売価格記憶手段と、貨幣投入毎に投入された投入貨幣金額と釣銭として払出すことができる金種別払出可能枚数を出力する貨幣識別装置と、商品を選択する商品選択手段と、前記販売価格記憶手段に記憶している商品の販売価格と前記貨幣識別装置から出力された投入貨幣金額と金種別払出可能枚数から販売が可能か否かの判定を行う販売可能判定手段と、前記販売価格記憶手段に記憶している商品の販売価格と前記貨幣識別装置から出力された投入貨幣金額と金種別払出可能枚数から商品販売が可能となるために必要な追加金種及び枚数を追加枚数が最小となる組合せを演算する最小枚数演算手段と、前記最小枚数演算手段にて演算された金種及び枚数と釣銭切れ状態を表示する表示手段と、前記商品選択手段にて選択された商品に対して前記販売可能判定手段で販売不可と判定された場合に前記最小枚数演算手段にて演算された金種及び枚数と釣銭切れ状態を前記表示手段に表示させる主制御部とからなり、前記主制御部は、貨幣が投入され商品選択された場合、前記販売可能判定手段から投入貨幣に対する販売可否を判定し、販売不可と判定した場合、前記最小枚数演算手段から演算した追加金種及び枚数と釣銭切れ状態を前記表示手段に表示することを特徴とした自動販売機の制御装置。
【請求項２】
収納商品の販売価格を記憶する販売価格記憶手段と、貨幣投入毎に投入された投入貨幣金額と釣銭として払出すことができる金種別払出可能枚数を出力する貨幣識別装置と、商品を選択する商品選択手段と、前記販売価格記憶手段に記憶している商品の販売価格と前記貨幣識別装置から出力された投入貨幣金額と金種別払出可能枚数から販売が可能か否かの判定を行う販売可能判定手段と、前記販売価格記憶手段に記憶している商品の販売価格と前記貨幣識別装置から出力された投入貨幣金額と金種別払出可能枚数から商品販売が可能となるために必要な最低追加金額を演算する金額演算手段と、前記金額演算手段にて演算された金額と釣銭切れ状態を表示する表示手段と、前記商品選択手段にて選択された商品に対して前記販売可能判定手段で販売不可と判定された場合に前記金額演算手段にて演算された金額と釣銭切れ状態を前記表示手段に表示させる主制御部とからなり、前記主制御部は、貨幣が投入され商品選択された場合、前記販売可能判定手段から投入貨幣に対する販売可否を判定し、販売不可と判定した場合、前記金額演算手段から演算した追加金額と釣銭切れ状態を前記表示手段に表示することを特徴とした自動販売機の制御装置。
【請求項３】
前記販売価格記憶手段に記憶している商品の販売価格と前記貨幣識別装置から出力された投入貨幣金額と金種別払出可能枚数から商品販売が可能となるために必要な最低追加金額を演算する金額演算手段と、前記表示手段へ前記最小枚数演算手段または前記金額演算手段で演算した結果のどちらを表示するかを選択する表示内容切替手段とを備え、前記主制御部は前記表示内容切替手段で選択された内容と釣銭切れ状態を前記表示手段に表示することを特徴とする請求項１に記載の自動販売機の制御装置。
【請求項４】
前記表示手段に表示する内容を音声で出力する音声出力手段を備え、前記主制御部は前記表示手段に表示する内容を前記音声出力手段にも出力することを特徴とする請求項１から３にいずれか一項に記載の自動販売機の制御装置。
【請求項５】
前記貨幣識別装置から出力された投入貨幣金額から前記商品選択手段にて選択された商品の前記販売価格記憶手段に記憶している販売価格を差引いて超過金額を演算する超過金額演算手段と、前記超過金額演算手段で演算された超過金額を次回購入時に割引いて購入できる割引券を印字する割引券印字手段と、前記割引券印字手段から割引券を印字させる割引券発行手段を備え、前記主制御部は、貨幣が投入され商品選択された場合、前記販売可能判定手段からの販売可否判定と前記超過金額演算手段からの超過金額を確認し、販売不可で超過金額がある場合、前記割引券発行手段を操作可能とし、操作された場合、割引券を印字するとともに選択された商品を販売することを特徴とする請求項１から４にいずれか一項に記載の自動販売機の制御装置。
【発明の詳細な説明】
【技術分野】
【０００１】
本発明は販売価格の異なる複数個の商品を収納し、これらの商品を販売する自動販売機において、貨幣投入後に釣銭切れ表示を行う自動販売機の制御装置に関するものである。
【背景技術】
【０００２】
近年、自動販売機の制御装置は、購入する商品価格より多い貨幣を投入しても釣銭切れ時には商品販売ができない為、購入者に的確な釣銭切れ情報を表示することが求められてきている。
【０００３】
従来の自動販売機の制御装置としては、待機状態で貨幣識別手段に保有している払出可能枚数から釣銭切れ表示を行うようにしたもの（例えば特許文献１参照）参照がある。
【０００４】
以下、図面を参照しながら上記従来の自動販売機の制御装置を説明する。
【０００５】
図１１は、従来の自動販売機の制御装置の機能ブロック図である。図１２は、従来の自動販売機の制御装置の動作を示すフローチャートである。
【０００６】
図１１において、貨幣投入毎に投入された投入貨幣枚数信号と釣銭として払出すことができる貨幣を保有しその払出可能枚数信号を出力する貨幣識別手段１と、１０円と１００円の釣銭切れを表示する釣銭切れ表示手段２と、貨幣識別手段１と釣銭切れ表示手段２を有する制御部３とから構成されている。
【０００７】
以上のように構成された自動販売機の制御装置について、以下その動作を説明する。
【０００８】
図１２において、まず、ステップ１で１０円の払出可能枚数が所定枚数（９枚未満）であるか否かを判定し、所定枚数未満であればステップ２で１０円の釣銭切れ表示を行い、所定枚数以上であればステップ３で１０円の釣銭切れ表示解除を行う。次に、ステップ４で１００円の払出可能枚数が所定枚数（９枚未満）であるか否かを判定し、所定枚数未満であればステップ５で１００円の釣銭切れ表示を行い、所定枚数以上であればステップ６で１００円の釣銭切れ表示解除を行う。
【特許文献１】特開平９−６９１７９号公報
【発明の開示】
【発明が解決しようとする課題】
【０００９】
しかしながら、上記従来の構成は、保有している貨幣枚数が所定枚数未満であれば、釣銭切れ表示を行うだけであり、投入された貨幣と販売価格から釣銭切れかどうかを判定しておらず、実際は商品を販売し釣銭返却できるのに釣銭切れ表示を行っている場合があり、購入者に対して正確な釣銭切れ情報が提供できず、購入者が釣銭切れなので商品購入が不可能であると誤解してしまい、販売機会を逃し売上が減収してしまう欠点があった。
【００１０】
本発明は従来の課題を解決するもので、購入者が購入しようとする商品に対して正確に釣銭切れ情報を出力することができる自動販売機の制御装置を提供することを目的とする。
【００１１】
本発明の他の目的は、購入者が購入しようとする商品が釣銭切れで販売できない場合であっても、販売可能とする追加金額情報を表示又は発音することにより購入者に案内し、購入者に貨幣の追加投入を促すことにより商品購入ができる自動販売機の制御装置を提供することを目的とする。
【００１２】
本発明の他の目的は、購入者が購入しようとする商品が釣銭切れで販売できない場合であっても、釣銭金額分を次回購入時割引いて商品購入ができる割引券をを出力することにより商品購入ができる自動販売機の制御装置を提供することを目的とする。
【課題を解決するための手段】
【００１３】
上記課題を解決するため、本発明は、収納商品の販売価格を記憶する販売価格記憶手段と、貨幣投入毎に投入された投入貨幣金額と釣銭として払出すことができる金種別払出可能枚数を出力する貨幣識別装置と、商品を選択する商品選択手段と、販売価格記憶手段に記憶している商品の販売価格と貨幣識別装置から出力された投入貨幣金額と金種別払出可能枚数から販売が可能か否かの判定を行う販売可能判定手段と、販売価格記憶手段に記憶している商品の販売価格と貨幣識別装置から出力された投入貨幣金額と金種別払出可能枚数から商品販売が可能となるために必要な追加金種及び枚数を追加枚数が最小となる組合せを演算する最小枚数演算手段と、最小枚数演算手段にて演算された金種及び枚数と釣銭切れ状態を表示する表示手段と、商品選択手段にて選択された商品に対して販売可能判定手段で販売不可と判定された場合に最小枚数演算手段にて演算された金種及び枚数と釣銭切れ状態を表示手段に表示させる主制御部とからなり、主制御部は、貨幣が投入され商品選択された場合、販売可能判定手段から投入貨幣に対する販売可否を判定し、販売不可と判定した場合、最小枚数演算手段から演算した追加金種及び枚数と釣銭切れ状態を表示手段に表示するようにしたものであり、選択された商品に対する釣銭切れ状態と選択された商品を販売可能とするための追加金種及び枚数を表示することができる。
【００１４】
また、収納商品の販売価格を記憶する販売価格記憶手段と、貨幣投入毎に投入された投入貨幣金額と釣銭として払出すことができる金種別払出可能枚数を出力する貨幣識別装置と、商品を選択する商品選択手段と、販売価格記憶手段に記憶している商品の販売価格と貨幣識別装置から出力された投入貨幣金額と金種別払出可能枚数から販売が可能か否かの判定を行う販売可能判定手段と、販売価格記憶手段に記憶している商品の販売価格と貨幣識別装置から出力された投入貨幣金額と金種別払出可能枚数から商品販売が可能となるために必要な最低追加金額を演算する金額演算手段と、金額演算手段にて演算された金額と釣銭切れ状態を表示する表示手段と、商品選択手段にて選択された商品に対して販売可能判定手段で販売不可と判定された場合に金額演算手段にて演算された金額と釣銭切れ状態を表示手段に表示させる主制御部とからなり、主制御部は、貨幣が投入され商品選択された場合、販売可能判定手段から投入貨幣に対する販売可否を判定し、販売不可と判定した場合、金額演算手段から演算した追加金額と釣銭切れ状態を表示手段に表示するようにしたものであり、選択された商品に対する釣銭切れ状態と選択された商品を販売可能とするための追加金額を表示することができる。
【発明の効果】
【００１５】
本発明によれば、貨幣が投入され商品選択された場合、販売可能判定手段から投入貨幣に対する販売可否を判定し、販売不可と判定した場合、最小枚数演算手段から演算した追加金種及び枚数と釣銭切れ状態を表示手段に表示するようにしたので、購入者は選択した商品に対して正確な釣銭切れ状態を確認することができ、さらに釣銭切れの場合、その商品を購入するために必要な追加金種及びその枚数を容易に確認することができる。
【００１６】
また、貨幣が投入され商品選択された場合、販売可能判定手段から投入貨幣に対する販売可否を判定し、販売不可と判定した場合、金額演算手段から演算した追加金額と釣銭切れ状態を表示手段に表示するようにしたので、購入者は選択した商品に対して正確な釣銭切れ状態を確認することができ、さらに釣銭切れの場合、その商品を購入するために必要な追加金額を容易に確認することができる。
【発明を実施するための最良の形態】
【００１７】
請求項１に記載の発明は、収納商品の販売価格を記憶する販売価格記憶手段と、貨幣投入毎に投入された投入貨幣金額と釣銭として払出すことができる金種別払出可能枚数を出力する貨幣識別装置と、商品を選択する商品選択手段と、販売価格記憶手段に記憶している商品の販売価格と貨幣識別装置から出力された投入貨幣金額と金種別払出可能枚数から販売が可能か否かの判定を行う販売可能判定手段と、販売価格記憶手段に記憶している商品の販売価格と貨幣識別装置から出力された投入貨幣金額と金種別払出可能枚数から商品販売が可能となるために必要な追加金種及び枚数を追加枚数が最小となる組合せを演算する最小枚数演算手段と、最小枚数演算手段にて演算された金種及び枚数と釣銭切れ状態を表示する表示手段と、商品選択手段にて選択された商品に対して販売可能判定手段で販売不可と判定された場合に最小枚数演算手段にて演算された金種及び枚数と釣銭切れ状態を表示手段に表示させる主制御部とからなり、主制御部は、貨幣が投入され商品選択された場合、販売可能判定手段から投入貨幣に対する販売可否を判定し、販売不可と判定した場合、最小枚数演算手段から演算した追加金種及び枚数と釣銭切れ状態を表示手段に表示するようにしたものであり、選択された商品に対する釣銭切れ状態と選択された商品を販売可能とするための追加金種及び枚数を表示することができる。
【００１８】
本発明の請求項２に記載の発明は、収納商品の販売価格を記憶する販売価格記憶手段と、貨幣投入毎に投入された投入貨幣金額と釣銭として払出すことができる金種別払出可能枚数を出力する貨幣識別装置と、商品を選択する商品選択手段と、販売価格記憶手段に記憶している商品の販売価格と貨幣識別装置から出力された投入貨幣金額と金種別払出可能枚数から販売が可能か否かの判定を行う販売可能判定手段と、販売価格記憶手段に記憶している商品の販売価格と貨幣識別装置から出力された投入貨幣金額と金種別払出可能枚数から商品販売が可能となるために必要な最低追加金額を演算する金額演算手段と、金額演算手段にて演算された金額と釣銭切れ状態を表示する表示手段と、商品選択手段にて選択された商品に対して販売可能判定手段で販売不可と判定された場合に金額演算手段にて演算された金額と釣銭切れ状態を表示手段に表示させる主制御部とからなり、主制御部は、貨幣が投入され商品選択された場合、販売可能判定手段から投入貨幣に対する販売可否を判定し、販売不可と判定した場合、金額演算手段から演算した追加金額と釣銭切れ状態を表示手段に表示するようにしたものであり、選択された商品に対する釣銭切れ状態と選択された商品を販売可能とするための追加金額を表示することができる。
【００１９】
本発明の請求項３に記載の発明は、請求項１に記載の発明に、さらに、販売価格記憶手段に記憶している商品の販売価格と貨幣識別装置から出力された投入貨幣金額と金種別払出可能枚数から商品販売が可能となるために必要な最低追加金額を演算する金額演算手段と、表示手段へ最小枚数演算手段または金額演算手段で演算した結果のどちらを表示するかを選択する表示内容切替手段とを備え、主制御部は表示内容切替手段で選択された内容と釣銭切れ状態を表示手段に表示するようにしたものであり、選択された商品に対する釣銭切れ状態と選択された商品を販売可能とするための追加投入貨幣情報を切替えて表示することができる。
【００２０】
本発明の請求項４に記載の発明は、請求項１から３にいずれか一項に記載の発明に、さらに、表示手段に表示する内容を音声で出力する音声出力手段を備え、主制御部は表示手段に表示する内容を音声出力手段にも出力するようにしたものであり、選択された商品に対する釣銭切れ状態と選択された商品を販売可能とするための追加投入貨幣情報を音声で出力することができる。
【００２１】
本発明の請求項５に記載の発明は、請求項１から４にいずれか一項に記載の発明に、さらに、貨幣識別装置から出力された投入貨幣金額から商品選択手段にて選択された商品の販売価格記憶手段に記憶している販売価格を差引いて超過金額を演算する超過金額演算手段と、超過金額演算手段で演算された超過金額を次回購入時に割引いて購入できる割引券を印字する割引券印字手段と、割引券印字手段から割引券を印字させる割引券発行手段を備え、主制御部は、貨幣が投入され商品選択された場合、販売可能判定手段からの販売可否判定と超過金額演算手段からの超過金額を確認し、販売不可で超過金額がある場合、割引券発行手段を操作可能とし、操作された場合、割引券を印字するとともに選択された商品を販売するようにしたものであり、選択された商品が釣銭切れで販売できない場合でも販売可能とするために追加貨幣を投入することなく釣銭金額分を次回販売時の割引券として発行し選択された商品が販売できる。
【００２２】
以下、本発明の実施の形態について、図面を参照しながら説明する。なお、従来と同一構成については、同一符号を付して詳細な説明を省略する。また、この実施の形態によってこの発明が限定されるものではない。
【００２３】
（実施の形態１）
図１は、本発明の実施の形態１による自動販売機の制御装置の機能ブロック図である。図２は、同実施の形態の自動販売機の制御装置のフローチャートである。
【００２４】
図１に示すように、収納商品の販売価格を記憶する販売価格記憶手段４と、貨幣投入毎に投入された投入貨幣金額と釣銭として払出すことができる金種別払出可能枚数を出力する貨幣識別装置５と、商品を選択する商品選択手段６と、販売価格記憶手段４に記憶している商品の販売価格と貨幣識別装置５から出力された投入貨幣金額と金種別払出可能枚数から販売が可能か否かの判定を行う販売可能判定手段７と、販売価格記憶手段４に記憶している商品の販売価格と貨幣識別装置５から出力された投入貨幣金額と金種別払出可能枚数から商品販売が可能となるために必要な追加金種と枚数を追加枚数が最小となる組合せを演算する最小枚数演算手段８と、最小枚数演算手段８にて演算された金種及び枚数と釣銭切れ状態を表示する表示手段９と、商品選択手段６にて選択された商品に対して販売可能判定手段７で販売不可と判定した場合に最小枚数演算手段８から演算した追加金種及び枚数と釣銭切れ状態を表示手段９に表示させる主制御部１０とを設けたものである。
【００２５】
以上のように構成された自動販売機の制御装置について、以下その動作を図２のフローチャートを参照して説明する。
【００２６】
まず、ステップ１１において主制御部１０は、貨幣識別装置５と商品選択手段６から貨幣が投入され商品選択があるかを判定し、貨幣が投入され商品選択があった場合、ステップ１２で販売可能判定手段７から投入貨幣に対する販売可否を判定し、販売不可と判定した場合、ステップ１３で最小枚数演算手段８から商品販売が可能となるために必要な追加金種と枚数を追加枚数が最小となる組合せを演算し、ステップ１４で演算した金種及び枚数と釣銭切れ状態を表示手段９に表示する。
【００２７】
次に、図２のステップ１３で示している追加枚数が最小となる追加金種と枚数の演算内容について（表１）を用いて説明する。表１は、投入貨幣金額と払出可能枚数と選択された商品の販売価格に対する商品販売が可能となる追加金種の一例を示した表である。
【００２８】
【表１】
2005202638.tif 000003
【００２９】
（表１）では、投入貨幣が５００円硬貨１枚で、販売価格が３５０円の商品を選択した場合、１０円と５０円硬貨の払出可能枚数が０枚なので、１５０円の釣銭が返却できず、釣銭切れのため販売不可となるが、１００円硬貨の払出可能枚数は１０枚なので、ケースＡでは１０円硬貨５枚を追加投入すると釣銭が２００円となり釣銭返却ができ販売可能となり、また、ケースＢでは５０円硬貨１枚を追加投入すると釣銭が２００円となり釣銭返却ができ販売可能となる。
【００３０】
この状態において最小枚数演算手段８は追加枚数が最小となるケースＢの５０円硬貨１枚を出力する。
【００３１】
以上のように本実施の形態の自動販売機の制御装置は、投入され貨幣と選択された商品から、販売可能判定手段７にて投入貨幣に対する販売可否を判定し、販売不可と判定した場合、最小枚数演算手段８から販売可能となる追加枚数が最小となる金種と枚数を演算し、演算した金種及び枚数と釣銭切れ状態を表示手段９に表示するようにしたので、購入者が選択した商品に対して正確な釣銭切れ状態を表示し、さらに釣銭切れの場合、その商品を購入するために必要な追加金種と枚数を表示することができる。
【００３２】
（実施の形態２）
図３は、本発明の実施の形態２による自動販売機の制御装置の機能ブロック図である。図４は、同実施の形態の自動販売機の制御装置のフローチャートである。実施の形態１と同一構成については、同一符号を付して詳細な説明を省略する。
【００３３】
図３に示すように、販売価格記憶手段４に記憶している商品の販売価格と貨幣識別装置５から出力された投入貨幣金額と金種別払出可能枚数から商品販売が可能となるために必要な最低追加金額を演算する金額演算手段１１と、金額演算手段１１にて演算された金額と釣銭切れ状態を表示する表示手段９ａと、商品選択手段６にて選択された商品に対して販売可能判定手段７で販売不可と判定した場合に金額演算手段１１から販売可能となる最低追加金額を演算し表示手段９ａに表示させる主制御部１０ａとを設けたものである。
【００３４】
以上のように構成された自動販売機の制御装置について、以下その動作を図４のフローチャートを参照して説明する。
【００３５】
まず、ステップ１２において販売不可と判定した場合、ステップ２１で金額演算手段１１から販売可能となる最低追加金額を演算し、ステップ２２で演算した金額と釣銭切れ状態を表示手段９ａに表示する。
【００３６】
次に、図４のステップ２１で示している最低追加金額の演算内容について（表２）を用いて説明する。表２は、投入貨幣金額と払出可能枚数と選択された商品の販売価格に対する商品販売が可能となる追加金種の一例を示した表である。
【００３７】
【表２】
2005202638.tif 000004
【００３８】
（表２）では、投入貨幣が５００円硬貨１枚で、販売価格が３６０円の商品を選択した場合、１０円硬貨の払出可能枚数が０枚なので、１４０円の釣銭が返却できず、釣銭切れのため販売不可となるが、１０円硬貨以外の払出可能枚数は１０枚なので、ケースＡでは１０円を追加投入すると釣銭が１５０円となり釣銭返却ができ販売可能となり、また、ケースＢでは６０円を追加投入すると釣銭が２００円となり釣銭返却ができ販売可能となる。
【００３９】
この状態において金額演算手段１１は追加金額が最低となるケースＡの１０円を出力する。
【００４０】
以上のように本実施の形態の自動販売機の制御装置は、投入され貨幣と選択された商品から、販売可能判定手段７にて投入貨幣に対する販売可否を判定し、販売不可と判定した場合、金額演算手段１１から販売可能となる最小追加金額を演算し、演算した金額と釣銭切れ状態を表示手段９ａに表示するようにしたので、購入者が選択した商品に対して正確な釣銭切れ状態を表示し、さらに釣銭切れの場合、その商品を購入するために必要な追加金額を表示することができる。
【００４１】
（実施の形態３）
図５は、本発明の実施の形態３による自動販売機の制御装置の機能ブロック図である。図６は、同実施の形態の自動販売機の制御装置のフローチャートである。実施の形態１と同一構成については、同一符号を付して詳細な説明を省略する。
【００４２】
図５に示すように、販売価格記憶手段４に記憶している商品の販売価格と貨幣識別装置５から出力された投入貨幣金額と金種別払出可能枚数から商品販売が可能となるために必要な最低追加金額を演算する金額演算手段１１と表示手段９ｂに最小枚数演算手段８または金額演算手段１１で演算した結果のどちらを表示するかを選択する表示内容切替手段１２と表示内容切替手段１２で選択された内容と釣銭切れ状態を表示手段９ｂに表示させる主制御部１０ｂとなっている。
【００４３】
本実施の形態は、実施の形態１による自動販売機の制御装置に、さらに金額演算手段１１と表示内容切替手段１２とを設けたものである。
【００４４】
以上のように構成された自動販売機の制御装置について、以下その動作を図６のフローチャートを参照して説明する。
【００４５】
まず、ステップ１２において販売不可と判定した場合、ステップ３１で最小枚数演算手段８から販売可能となる追加枚数が最小となる追加金種及び枚数と金額演算手段１１から販売可能となる最低追加金額を演算する。次に、ステップ３２で表示内容切替手段１２で選択された内容を確認し、最小追加枚数が選択された場合、ステップ３３で最小枚数演算手段８が演算した金種及び枚数と釣銭切れ状態を表示手段９ｂに表示する。また、最低追加金額が選択された場合、ステップ３４で金額演算手段１１で演算した金額と釣銭切れ状態を表示手段９ｂに表示する。
【００４６】
以上のように本実施の形態の自動販売機の制御装置は、投入され貨幣と選択された商品から、販売可能判定手段７にて投入貨幣に対する販売可否を判定し、販売不可と判定した場合、最小枚数演算手段８から販売可能となる追加枚数が最小となる追加金種及び枚数と金額演算手段１１から販売可能となる最低追加金額を演算し、表示内容切替手段１２で選択された内容と釣銭切れ状態を表示手段９ｂに表示するようにしたので、購入者が選択した商品に対して正確な釣銭切れ状態を表示し、さらに釣銭切れの場合、その商品を購入するために必要な追加金種及び枚数、又は追加金額を表示することができる。
【００４７】
（実施の形態４）
図７は、本発明の実施の形態４による自動販売機の制御装置の機能ブロック図である。図８は、同実施の形態の自動販売機の制御装置のフローチャートである。実施の形態３と同一構成については、同一符号を付して詳細な説明を省略する。
【００４８】
図７に示すように、表示手段９ｂに表示する内容を音声で出力する音声出力手段１３となっている。
【００４９】
本実施の形態は、実施の形態３による自動販売機の制御装置に、さらに音声出力手段１３を設けたものである。
【００５０】
以上のように構成された自動販売機の制御装置について、以下その動作を図８のフローチャートを参照して説明する。
【００５１】
まず、ステップ４１でステップ３３で表示手段９ｂに表示した最小枚数演算手段８が演算した金種及び枚数を音声出力手段１３に出力し、ステップ４２でステップ３４で表示手段９ｂに表示した金額演算手段１１で演算した金額を音声出力手段１３に出力する。
【００５２】
以上のように本実施の形態の自動販売機の制御装置は、投入され貨幣と選択された商品から、販売可能判定手段７にて投入貨幣に対する販売可否を判定し、販売不可と判定した場合、最小枚数演算手段８から販売可能となる追加枚数が最小となる追加金種及び枚数と金額演算手段１１から販売可能となる最低追加金額を演算し、表示内容切替手段１２で選択された内容を表示手段９ｂと音声出力手段１３に出力するようにしたので、購入者が選択した商品に対して正確な釣銭切れ状態を表示し、さらに釣銭切れの場合、その商品を購入するために必要な追加金の金種及び枚数、又は追加金額を表示するとともに音声にてその内容を案内することができる。
【００５３】
（実施の形態５）
図９は、本発明の実施の形態５による自動販売機の制御装置の機能ブロック図である。図１０は、同実施の形態の自動販売機の制御装置のフローチャートである。実施の形態４と同一構成については、同一符号を付して詳細な説明を省略する。
【００５４】
図９に示すように、貨幣識別装置５から出力された投入貨幣金額から商品選択手段６にて選択された商品の販売価格記憶手段４に記憶している販売価格を差引いて超過金額を演算する超過金額演算手段１４と、超過金額演算手段１４で演算された超過金額を次回購入時に割引いて購入できる割引券を印字する割引券印字手段１５と、割引券印字手段１５から割引券を印字させる割引券発行手段１６となっている。
【００５５】
本実施の形態は、実施の形態４による自動販売機の制御装置に、さらに超過金額演算手段１４と割引券印字手段１５と割引券発行手段１６とを設けたものである。
【００５６】
以上のように構成された自動販売機の制御装置について、以下その動作を図１０のフローチャートを参照して説明する。
【００５７】
まず、ステップ５１において主制御部１０ｄは、貨幣識別装置５と商品選択手段６から貨幣が投入され商品選択があるかを判定し、貨幣が投入され商品選択があった場合、ステップ５２で超過金額演算手段１４にて超過金額を演算する。次に、ステップ５３で超過金額の有無とステップ５４で割引券発行手段１６の操作有無を確認し、超過金額があり、割引券発行手段１６が操作された場合、ステップ５５で割引券印字手段１５にて割引券を印字するとともに選択された商品を販売する。
【００５８】
以上のように本実施の形態の自動販売機の制御装置は、投入され貨幣と選択された商品から、販売可能判定手段７からの販売可否判定と超過金額演算手段１４からの超過金額を確認し、販売不可で超過金額がある場合、割引券発行手段１６を操作可能とし、操作された場合、割引券を印字するとともに選択された商品を販売するようにしたので、購入者が選択した商品が釣銭切れで商品が販売できない場合でも、次回購入時に割引いて購入できる割引券を発行することにより商品を販売することができる。
【産業上の利用可能性】
【００５９】
以上のように、本発明は、釣銭切れ状態を正確に確認することができ、商品購入に必要な追加金種及びその枚数を容易に確認することができるので、金銭を扱う自動販売機器の全般に幅広く適用することができる。
【図面の簡単な説明】
【００６０】
【図１】本発明による自動販売機の制御装置の実施の形態１の機能ブロック図
【図２】同実施の形態の自動販売機の制御装置のフローチャート
【図３】本発明による自動販売機の制御装置の実施の形態２の機能ブロック図
【図４】同実施の形態の自動販売機の制御装置のフローチャート
【図５】本発明による自動販売機の制御装置の実施の形態３の機能ブロック図
【図６】同実施の形態の自動販売機の制御装置のフローチャート
【図７】本発明による自動販売機の制御装置の実施の形態４の機能ブロック図
【図８】同実施の形態の自動販売機の制御装置のフローチャート
【図９】本発明による自動販売機の制御装置の実施の形態５の機能ブロック図
【図１０】同実施の形態の自動販売機の制御装置のフローチャート
【図１１】従来の自動販売機の制御装置の機能ブロック図
【図１２】従来の自動販売機の制御装置のフローチャート
【符号の説明】
【００６１】
１    貨幣識別手段
２    釣銭切れ表示手段
３    制御部
４    販売価格記憶手段
５    貨幣識別装置
６    商品選択手段
７    販売可能判定手段
８    最小枚数演算手段
９，９ａ，９ｂ    表示手段
１０，１０ａ，１０ｂ，１０ｃ，１０ｄ    主制御部
１１    金額演算手段
１２    表示内容切替手段
１３    音声出力手段
１４    超過金額演算手段
１５    割引券印字手段
１６    割引券発行手段
【図１】
2005202638.tif 000005
【図２】
2005202638.tif 000006
【図３】
2005202638.tif 000007
【図４】
2005202638.tif 000008
【図５】
2005202638.tif 000009
【図６】
2005202638.tif 000010
【図７】
2005202638.tif 000011
【図８】
2005202638.tif 000012
【図９】
2005202638.tif 000013
【図１０】
2005202638.tif 000014
【図１１】
2005202638.tif 000015
【図１２】
2005202638.tif 000016